【手続補正書】
【提出日】平成30年10月17日(2018.10.17)
【手続補正１】
【補正対象書類名】特許請求の範囲
【補正対象項目名】全文
【補正方法】変更
【補正の内容】
【特許請求の範囲】
【請求項１】
印刷対象の画像を印刷する印刷装置であって、
ユーザが操作を行い且つ前記ユーザに情報を提示する操作部と、
前記印刷装置にセットされている用紙の候補サイズと、前記画像のための印刷設定の用紙サイズとして設定されている設定サイズとを取得する取得手段と、
前記取得手段により取得された前記候補サイズと前記設定サイズが異なる場合に、印刷を実行させるための第１の選択肢と、用紙の交換を示す第２の選択肢と、印刷のキャンセルを実行させるための第３の選択肢とを、前記操作部に提示させる制御手段と、
前記制御手段により前記操作部が提示した前記第１の選択肢が前記ユーザにより選択された場合、前記画像の印刷を実行する印刷手段と、
を有し、
前記制御手段により前記操作部が提示した前記第３の選択肢が前記ユーザにより選択された場合、前記印刷手段は前記画像の印刷を実行せず、
前記制御手段により前記操作部が提示した前記第２の選択肢が前記ユーザにより選択された場合、前記取得手段は前記画像の印刷のために前記候補サイズを再び取得し、当該再び取得された候補サイズと前記設定サイズが対応する場合、前記印刷手段は前記画像の印刷を実行することを特徴とする印刷装置。
【請求項２】
前記制御手段により前記操作部が提示した前記第２の選択肢が前記ユーザにより選択された場合、前記取得手段は前記画像の印刷のために前記候補サイズを再び取得し、当該再び取得された候補サイズと前記設定サイズが異なる場合、前記制御手段は、前記提示部に前記第１の選択肢と前記第２の選択肢と前記第３の選択肢を再び提示させることを特徴とする請求項１に記載の印刷装置。
【請求項３】
操作部は表示を行う表示パネルを含み、
前記制御手段は、前記第１の選択肢と前記第２の選択肢と前記第３の選択肢のそれぞれに対応する表示アイテムを前記表示パネルに表示させることを特徴とする請求項１または２に記載の印刷装置。
【請求項４】
前記第１の選択肢が前記ユーザにより選択された場合、前記印刷手段は、前記設定サイズに従って前記前記画像の印刷を実行することを特徴とする請求項１乃至３のいずれか１項に記載の印刷装置。
【請求項５】
前記第１の選択肢が前記ユーザにより選択された場合、前記印刷手段は、前記設定サイズに対応する大きさの前記画像を印刷することを特徴とする請求項４に記載の印刷装置。
【請求項６】
外部メモリを装着する装着部をさらに有し、
前記印刷対象の画像は、前記装着部に装着された前記外部メモリに記憶されている画像であることを特徴とする請求項１乃至５のいずれか１項に記載の印刷装置。
【請求項７】
外部装置と通信する通信部をさらに有し、
前記印刷対象の画像は、前記通信部が前記外部装置から受信したデータに基づく画像であることを特徴とする請求項１乃至５のいずれか１項に記載の印刷装置。
【請求項８】
前記候補サイズと前記設定サイズが異なる場合に、前記制御手段は、前記操作部に前記設定サイズを提示させることを特徴とする請求項１乃至７のいずれか１項に記載の印刷装置。
【請求項９】
前記候補サイズと前記設定サイズが異なる場合に、前記制御手段は、前記操作部による前記設定サイズの後に行われたユーザの指示に応じて、前記第１の選択肢と前記第２の選択肢と前記第３の選択肢を前記操作部に提示させることを特徴とする請求項８に記載の印刷装置。
【請求項１０】
前記印刷装置にセットされている用紙のサイズを検知するためのセンサを有し、
前記取得手段は、前記センサによる検知結果に基づく前記候補サイズを取得することを特徴とする請求項１乃至９のいずれか１項に記載の印刷装置。
【請求項１１】
前記センサは、前記印刷装置にセットされている用紙の、当該用紙サイズの搬送方向に交差する方向の幅を検知することを特徴とする請求項１０に記載の印刷装置。
【請求項１２】
印刷対象の画像を印刷し、ユーザが操作を行い且つ前記ユーザに情報を提示する操作部を有する印刷装置の制御方法であって、
前記印刷装置にセットされている用紙の候補サイズと、前記画像のための印刷設定の用紙サイズとして設定されている設定サイズとを取得する取得工程と、
前記取得工程において取得された前記候補サイズと前記設定サイズが異なる場合に、印刷を実行させるための第１の選択肢と、用紙の交換を示す第２の選択肢と、印刷のキャンセルを実行させるための第３の選択肢とを、前記操作部に提示させる制御工程と、
前記制御工程において前記操作部が提示した前記第１の選択肢が前記ユーザにより選択された場合、前記画像の印刷を前記印刷装置に実行させる印刷工程と、
を有し、
前記制御工程において前記操作部が提示した前記第３の選択肢が前記ユーザにより選択された場合、前記印刷工程では前記画像の印刷を実行させず、
前記制御工程において前記操作部が提示した前記第２の選択肢が前記ユーザにより選択された場合、前記取得工程では前記画像の印刷のために前記候補サイズを再び取得し、当該再び取得された候補サイズと前記設定サイズが対応する場合、前記印刷工程では前記画像の印刷を実行させることを特徴とする制御方法。
【請求項１３】
請求項１２に記載の制御方法の各工程をコンピュータに実行させるためのプログラム。
【手続補正２】
【補正対象書類名】明細書
【補正対象項目名】発明の名称
【補正方法】変更
【補正の内容】
【発明の名称】印刷装置、印刷装置の制御方法、およびプログラム
【手続補正３】
【補正対象書類名】明細書
【補正対象項目名】０００５
【補正方法】削除
【補正の内容】
【手続補正４】
【補正対象書類名】明細書
【補正対象項目名】０００６
【補正方法】変更
【補正の内容】
【０００６】
本発明は、設定サイズと、印刷媒体のサイズとに基づき、適切に画像を印刷させることができる印刷装置、印刷装置の制御方法、およびプログラムを提供することを目的とする。
【手続補正５】
【補正対象書類名】明細書
【補正対象項目名】０００７
【補正方法】変更
【補正の内容】
【０００７】
本発明の印刷装置は、印刷対象の画像を印刷する印刷装置であって、ユーザが操作を行い且つ前記ユーザに情報を提示する操作部と、前記印刷装置にセットされている用紙の候補サイズと、前記画像のための印刷設定の用紙サイズとして設定されている設定サイズとを取得する取得手段と、前記取得手段により取得された前記候補サイズと前記設定サイズが異なる場合に、印刷を実行させるための第１の選択肢と、用紙の交換を示す第２の選択肢と、印刷のキャンセルを実行させるための第３の選択肢とを、前記操作部に提示させる制御手段と、前記制御手段により前記操作部が提示した前記第１の選択肢が前記ユーザにより選択された場合、前記画像の印刷を実行する印刷手段と、を有し、前記制御手段により前記操作部が提示した前記第３の選択肢が前記ユーザにより選択された場合、前記印刷手段は前記画像の印刷を実行せず、前記制御手段により前記操作部が提示した前記第２の選択肢が前記ユーザにより選択された場合、前記取得手段は前記画像の印刷のために前記候補サイズを再び取得し、当該再び取得された候補サイズと前記設定サイズが対応する場合、前記印刷手段は前記画像の印刷を実行することを特徴とする。
【手続補正６】
【補正対象書類名】明細書
【補正対象項目名】０００８
【補正方法】変更
【補正の内容】
【０００８】
本発明によれば、設定サイズと、印刷媒体のサイズとに基づき、適切に画像を印刷させることができる。
【手続補正７】
【補正対象書類名】明細書
【補正対象項目名】００６７
【補正方法】変更
【補正の内容】
【００６７】
図８は、図５のＳ５０６における設定用紙サイズ印刷モード処理の処理内容を示すフローチャートである。Ｓ８０１からＳ８０３までの処理は前述のＳ６０１からＳ６０３までの処理と同様であるため、説明を省略する。
【手続補正８】
【補正対象書類名】明細書
【補正対象項目名】００７２
【補正方法】変更
【補正の内容】
【００７２】
一方、設定用紙サイズ幅が候補用紙最小幅より小さくないと判定された場合、設定用紙サイズ幅よりも小さな幅のサイズが候補用紙サイズに含まれていると判断できる。例えば、候補用紙サイズのいずれの幅よりも設定用紙サイズの幅が大きな場合、Ｓ８１０におけるミスマッチ処理２が実行される。また、設定用紙サイズの幅よりも幅が小さなサイズ、幅が大きなサイズの両方が候補用紙サイズに含まれているが、設定用紙サイズの幅が、候補用紙サイズそれぞれの幅に対する上記所定の範囲に含まれていない場合、Ｓ８１０におけるミスマッチ処理２が実行される。この場合、仮に当該設定用紙サイズに対応する大きさの画像が印刷装置１００にセットされている印刷用紙へ印刷されると、当該画像の幅が印刷用紙よりも大きく、画像が欠けて印刷されてしまうことがある。よって、設定用紙サイズ幅が候補用紙最小幅より小さいと判定されなかった場合、Ｓ８０８では、設定用紙サイズに対応する大きさの画像の印刷装置１００にセットされている印刷用紙への印刷を許可しないと判定される。そして、ミスマッチ処理２が実行される。ミスマッチ処理２では、ユーザに対する警告表示において、設定用紙サイズに合わせて印刷を実行させるための選択肢をユーザに提供しないように制御する。詳細について後述する。
【手続補正９】
【補正対象書類名】明細書
【補正対象項目名】００８６
【補正方法】変更
【補正の内容】
【００８６】
以上のように本実施形態では、印刷設定として設定されている設定用紙サイズが、印刷装置にセットされている印刷用紙のサイズを用紙センサが検出することにより得られた候補用紙サイズに含まれているか判定される。そして、設定用紙サイズが候補用紙サイズに含まれていない場合、ユーザに対する警告表示が行われる。
【手続補正１０】
【補正対象書類名】明細書
【補正対象項目名】００８７
【補正方法】変更
【補正の内容】
【００８７】
その警告表示において、設定用紙サイズの幅が候補用紙サイズのいずれの幅よりも小さい場合、上記ミスマッチ処理１により「このまま続行」が選択肢としてユーザに提供される。一方、設定用紙サイズの幅よりも小さな幅を持つサイズが候補用紙サイズに含まれている場合、上記ミスマッチ処理２により「このまま続行」がユーザに提供されない。
【手続補正１１】
【補正対象書類名】明細書
【補正対象項目名】００８８
【補正方法】変更
【補正の内容】
【００８８】
即ち、設定用紙サイズの幅よりも小さな幅を持つサイズが候補用紙サイズに含まれている場合、画像の幅が欠けて印刷が実行されてしまうことがある。よってミスマッチ処理２により、ユーザに対する警告表示において、設定用紙サイズに合わせて印刷を実行させるための選択肢をユーザに提供しないように制御する。これにより、上記のように画像の幅が欠けて印刷が実行されてしまうことを防ぐことができる。